(57)【要約】【課題】ＤＩＹにおけるより多くの工程で利用者をサポートし、より簡単且つスムーズにＤＩＹを実践できる製作支援を実現させる。【解決手段】利用者はベースとなるモデルを選択し、選択したモデルの仕様を元に好みの仕様に変更させることで、製作したいと思う物品の設計を進めることができる。また、仕様変更の過程において、完成予想イメージや見積額を確認しながら作業を進めることができる。従って、これから作ろうとする物品のデザインの方向性をより簡単に、また決定物品の構造的欠陥を生じる心配が少ないより精度の高い設計を簡単且つスムーズに実施することができる。【選択図】　　　図１２
2004062506.tif 000002
【特許請求の範囲】
【請求項１】
所定の通信回線を介して端末装置と通信可能に接続された物品製作支援装置であって、
前記端末装置から受信される信号に基づいて、複数の物品の中から希望物品を特定する特定手段と、
前記希望物品の完成品の画像データを前記端末装置に送信する完成品画像送信手段と、
前記複数の物品それぞれの構成部品を含む複数の部品の部品情報を記憶する部品情報記憶手段と、
前記端末装置から特注データを受信する特注手段と、
前記希望物品の完成品の画像データを、前記特注データに基づいて特注品の画像データに変更して前記端末装置に送信する特注品画像送信手段と、
前記希望物品、前記特注データ、及び前記部品情報記憶手段により記憶された部品情報に基づいて、前記特注品の製作に関連する関連情報を作成する作成手段と、
前記作成手段により作成された関連情報を前記端末装置に送信する関連情報送信手段と、
を備える物品製作支援装置。
【請求項２】
請求項１に記載の物品製作支援装置であって、
前記部品情報記憶手段は、各部品の価格情報を含む部品情報を記憶し、
前記作成手段は、前記価格情報に基づいて前記特注品の製作費用を見積もる見積手段を有し、この見積手段による見積結果を前記関連情報として作成することを特徴とする物品製作支援装置。
【請求項３】
請求項２に記載の物品製作支援装置であって、
前記見積手段は、前記特注品の製作時の組立作業度合を前記端末装置から受信する組立作業度合受信手段を有し、この組立作業度合受信手段により受信された組立作業度合に応じて、前記特注品の製作費用を見積もることを特徴とする物品製作支援装置。
【請求項４】
請求項１〜３の何れかに記載の物品製作支援装置は、所定の通信回線を介して部品販売システムと通信接続可能な物品製作支援装置であって、
前記特注品の構成部品を注文するための注文信号を送信する発注手段を更に備えることを特徴とする物品製作支援装置。
【請求項５】
請求項１に記載の物品製作支援装置であって、
前記部品情報記憶手段は、更に、各部品それぞれに対応する工具に係る工具情報を記憶し、
前記作成手段は、前記特注品の構成部品に対応する工具情報を前記工具情報記憶手段から読み出し、前記関連情報として作成することを特徴とする物品製作支援装置。
【請求項６】
請求項１〜５の何れかに記載の物品製作支援装置であって、
前記特注品を特注品識別情報と対応付けて記憶する特注品登録手段と、
特注品識別情報を前記端末装置から受信する識別情報受信手段と、
この識別情報受信手段により受信された特注品識別情報に対応する特注品を前記特注品登録手段から読み出す読出手段と、
を更に備えることを特徴とする物品製作支援装置。
【請求項７】
所定の通信回線を介して端末装置と通信可能に接続されたコンピュータに対して、
前記端末装置から受信される信号に基づいて、複数の物品の中から希望物品を特定する特定機能と、
前記希望物品の完成品の画像データを前記端末装置に送信する完成品画像送信機能と、
前記複数の物品それぞれの構成部品を含む複数の部品の部品情報を記憶する部品情報記憶機能と、
前記端末装置から特注データを受信する特注機能と、
前記希望物品の完成品の画像データを、前記特注データに基づいて特注品の画像データに変更して前記端末装置に送信する特注品画像送信機能と、
前記希望物品、前記特注データ、及び前記部品情報記憶機能により記憶された部品情報に基づいて、前記特注品の製作に関連する関連情報を作成する作成機能と、
前記作成機能により作成された関連情報を前記端末装置に送信する関連情報送信機能と、
を実現させるためのプログラム。
【請求項８】
請求項７に記載のプログラムを記憶したコンピュータ読み取り可能な記憶媒体。
【発明の詳細な説明】
【０００１】
【発明の属する技術分野】
本発明は、所定の通信回線を介して端末装置と通信可能に接続された物品製作支援装置等に関する。
【０００２】
【従来の技術】
近年、市販の製品で要求を満たすものが無い場合、メーカにオーダーメイドせずに、自身で設計から材料や部品の調達、組立までを実践する所謂ＤＩＹ（Ｄｏ　Ｉｔ　Ｙｏｕｒｓｅｌｆ）で対応する消費者が増えてきている。ＤＩＹは、オーダーメイドに比べて製作費用も安く済み、また自身で作る過程を楽しめることから人気が高い。
【０００３】
例えば、家具はＤＩＹによって作られる場合が多いものの一つである。消費者は、自宅の限られたスペースに丁度合うように、家具のデザインをし、図面を引き、ホームセンターなどで材料を調達し、工具で加工して部品を作り、そして組立をする。最近では、工業品に該当する部品（例えば、ビス、塗料のスプレー、金具等）の一部はインターネットのＷｅｂサイト上での通信販売で入手可能となっている。また、図面を受け付けて、該図面に基づいて材料（主に木材系材料）の見積もりと調達をし、材料を加工して部品を製作し、消費者宅に配送するサービスもある。
【０００４】
部品の調達工程をサポートするこうしたサービスによれば、消費者は店舗に出向くことなく家具作りの材料（部品）を入手し、不慣れな木材加工による失敗を心配することなく、より手軽にＤＩＹを実践することができる。
【０００５】
【発明が解決しようとする課題】
しかしながら、上記のようなサービスでは、部品の調達や加工以外の工程はサポートされていない。そのため、依然として消費者自身が家具をどのようにデザインし、設計すれば良いかについて自身で勉強して、図面を引かなければならない。元となる図面が不十分な場合には、前述のようなサービスによって精度良く部品を入手できるとしても、結局満足の行く結果を得られないことにもなる。また、組立に使用する工具を別途用意する必要や、工具の使い方や組立の手順に関する知識を別途調べる必要が有る。
このように、従来のサービスでは手間をかけずに部品は得られるようになったものの、依然としてＤＩＹを気軽に実践するには多数の手間が残ってしまっている。
【０００６】
本発明は、上記課題を鑑みてなされたものであり、その目的は、ＤＩＹにおけるより多くの工程で利用者をサポートし、より簡単且つスムーズにＤＩＹを実践できる製作支援を実現することである。
【０００７】
【課題を解決するための手段】
上記の課題を解決するために、請求項１に記載の発明は、所定の通信回線を介して端末装置と通信可能に接続された物品製作支援装置（例えば、図１の製作支援サーバ６）であって、
前記端末装置から受信される信号に基づいて、複数の物品（例えば、図１１のサムネール画像Ｐ、モデル情報７３２）の中から希望物品を特定する特定手段（例えば、図２のサイト管理部１１、製作支援情報管理部１７）と、前記希望物品の完成品の画像データ（例えば、図１１のモデルイメージ画像Ｑ）を前記端末装置に送信する完成品画像送信手段（例えば、図２のサイト管理部１１、モデル管理情報７３０）と、前記複数の物品それぞれの構成部品を含む複数の部品の部品情報を記憶する部品情報記憶手段（例えば、図２の記憶部７０、部品管理情報７４０）と、前記端末装置から特注データを受信する特注手段（例えば、図２のサイト管理部１１、製作支援情報管理部１７、製作支援情報７２４）と、前記希望物品の完成品の画像データを、前記特注データに基づいて特注品の画像データ（例えば、図１４のモデルイメージ画像Ｑ）に変更して前記端末装置に送信する特注品画像送信手段（例えば、図２のサイト管理部１１、画像処理部１３）と、前記希望物品、前記特注データ、及び前記部品情報記憶手段により記憶された部品情報に基づいて、前記特注品の製作に関連する関連情報（例えば、図３（ｂ）の製作支援情報７２４）を作成する作成手段（例えば、図２のサイト管理部１１、見積計算部１４、仕様変更判定部１５、製作支援情報管理部１７）と、前記作成手段により作成された関連情報を前記端末装置に送信する関連情報送信手段（例えば、図２のサイト管理部１１）と、を備えることを特徴とする。
【０００８】
また、請求項７に記載の発明は、所定の通信回線を介して端末装置と通信可能に接続されたコンピュータに対して、前記端末装置から受信される信号に基づいて、複数の物品の中から希望物品を特定する特定機能と、前記希望物品の完成品の画像データを前記端末装置に送信する完成品画像送信機能と、前記複数の物品それぞれの構成部品を含む複数の部品の部品情報を記憶する部品情報記憶機能と、前記端末装置から特注データを受信する特注機能と、前記希望物品の完成品の画像データを、前記特注データに基づいて特注品の画像データに変更して前記端末装置に送信する特注品画像送信機能と、前記希望物品、前記特注データ、及び前記部品情報記憶機能により記憶された部品情報に基づいて、前記特注品の製作に関連する関連情報を作成する作成機能と、前記作成機能により作成された関連情報を前記端末装置に送信する関連情報送信機能と、を実現させるためのプログラムである。
【０００９】
希望物品とは、これから作ろうとするもののベースとなる標準仕様の物品である。特注データとは、希望物品の仕様を変更することによって、利用者（消費者）が望む仕様とするための情報であって、例えば、具体的な寸法などの仕様情報や希望物品の仕様からの差分情報である。
【００１０】
また、希望物品と特注データと部品情報とに基づく特注品の製作に関連する関連情報（以下、製作関連情報と言う）とは、例えば、仕様変更された部品情報、特注品の製作費の見積や重量、特注品の製作時の作業工数や製作時の参照情報、などである。
【００１１】
請求項１または７に記載の発明によれば、端末装置で希望物品の仕様を元にして特注データを作成すると、物品製作支援装置が特注データに基づいて希望物品の画像データを特注品の画像データを変更と製作関連情報の作成をし、端末装置に送信することができる。即ち、利用者は端末装置で特注品の完成予想イメージを見ながら設計をすることが可能となる。希望物品として出来上がっている仕様を変更するだけで良いので、物品の構造的欠陥を生じる心配が少なく、経験が少ない消費者であっても安心して、より簡単に精度の高い設計を実践することができる。
【００１２】
請求項２に記載の発明は、請求項１に記載の物品製作支援装置であって、前記部品情報記憶手段は、各部品の価格情報を含む部品情報を記憶し、前記作成手段は、前記価格情報に基づいて前記特注品の製作費用を見積もる見積手段（例えば、図２のＣＰＵ１０；図７のＳ１２８）を有し、この見積手段による見積結果を前記関連情報として作成することを特徴とする。
【００１３】
請求項２に記載の発明によれば、請求項１に記載の発明と同様の効果を奏するとともに、端末装置に特注品の製作費用の見積を送信することができる。従って、利用者は製作費見積の増減を見ながら設計を進めることが可能となり、よりコスト要件に合致する設計を簡単に実施することができる。
【００１４】
請求項３に記載の発明は、請求項２に記載の物品製作支援装置であって、前記見積手段は、前記特注品の製作時の組立作業度合を前記端末装置から受信する組立作業度合受信手段（例えば、図２のサイト管理部１１）を有し、この組立作業度合受信手段により受信された組立作業度合に応じて、前記特注品の製作費用を見積もることを特徴とする。
【００１５】
組立作業度合とは、部品を組立完成品にするまでに係る作業レベルである。例えば、木製家具を製作する場合ならば、規格木材から部品を切り出すところから利用者自身が実施する上級者向けレベル、部品の切り出し済みの部品に塗装やダボ穴加工する普通レベル、塗装やダボ穴加工など全て済まされ組立だけの初心者向けレベルなどが考えられる。
【００１６】
請求項３に記載の発明によれば、利用者の望む組立作業度合に則した見積が可能となり、より適切な製作支援が可能となる。
【００１７】
請求項４に記載の発明によれば、請求項１〜３の何れかに記載の物品製作支援装置は、所定の通信回線を介して部品販売システムと通信接続可能な物品製作支援装置であって、前記特注品の構成部品を注文するための注文信号を送信する発注手段（例えば、図２の発注管理部１６）を更に備えることを特徴とする。
【００１８】
部品販売システムとは、注文に従って部品を調達して利用者宅まで届けるサービスを実現するシステムである。具体的には、メーカや、問屋、ホームセンターなどによって実現可能である。
【００１９】
請求項４に記載の発明によれば、請求項１〜３の何れかに記載の発明と同様の効果を奏するとともに、特注品の構成部品を発注することができる。従って、利用者は、デザイン・設計・部品の調達までの工程について、製作支援を一貫して利用することができる。
【００２０】
請求項５に記載の発明は、請求項１に記載の物品製作支援装置であって、前記部品情報記憶手段は、更に、各部品それぞれに対応する工具に係る工具情報を記憶し、前記作成手段は、前記特注品の構成部品に対応する工具情報を前記工具情報記憶手段から読み出し、前記関連情報として作成することを特徴とする。
【００２１】
各部品にそれぞれに対応する工具とは、例えば、蝶番金具やＬ字金具にはこれらを固定するビス等をとりつける錐やドライバーなどが該当するし、塗料ならば刷毛やトレーなどが該当する。工具に係る情報とは、例えば、工具の外観図、価格、操作方法、入手方法などの情報である。
【００２２】
請求項５に記載の発明によれば、請求項１に記載の発明と同様の効果を奏するとともに、利用者に組立に必要な工具について情報を提供することができる。従って、組立の工程に関するサポートを実現することができる。
【００２３】
請求項６に記載の発明は、請求項１〜５の何れかに記載の物品製作支援装置であって、前記特注品を特注品識別情報（例えば、図３（ｂ）の製作支援情報ＩＤ７２４ｂ）と対応付けて記憶する特注品登録手段（例えば、図２の製作支援情報管理部１７、ユーザ管理情報７２０、製作支援情報７２４）と、特注品識別情報を前記端末装置から受信する識別情報受信手段（例えば、図２のサイト管理部１１、図１０の製作支援情報ＩＤ入力欄１２４）と、この識別情報受信手段により受信された特注品識別情報に対応する特注品を前記特注品登録手段から読み出す読出手段（例えば、図２のＣＰＵ１０）と、を更に備えることを特徴とする。
【００２４】
請求項６に記載の発明によれば、請求項１〜５の何れかに記載の発明と同様の効果を奏するとともに、仕掛かり途中で作業を保存し、またそこから続けることができる。また、必要なときに仕様情報を読み出し、次の製作に反映させることもできる。即ち、特注品に係る情報の管理をサポートし、より利便性の高い製作支援を実現することができる。
【００２５】
請求項８に記載の発明は、　　　　請求項７に記載のプログラムを記憶したコンピュータ読み取り可能な記憶媒体である。
【００２６】
コンピュータに読取可能な記憶媒体とは、例えば、ＦＤ（Ｒ）、ＭＯ、ＩＣメモリー、ＣＤ−ＲＯＭ、ＤＶＤ、ハードディスクなどである。
請求項８に記載の発明によれば、請求項７に記載のプログラムをコンピュータに読み込ませ、請求項７に記載の発明と同様の効果をもたらすことができる。
【００２７】
【発明の実施の形態】
〔第１の実施の形態〕
以下、図１〜図１８を参照して、本発明を適用した第１の実施の形態について詳細に説明する。本実施の形態では、家具製作に係る製作支援サービスをインターネット上のＷｅｂサイトを用いて提供する例を説明するが、本発明の適用がこれに限定されるものではない。
【００２８】
［構成の説明］
図１は、本実施の形態における構成の一例を示す図である。同図に示すように、本実施の形態は、利用者宅１に有る端末装置２と、部品販売システム３が有する部品販売サーバ４と、コンテンツ配信業者５が管理する製作支援サーバ６と、通信回線８と、が備えられている。
【００２９】
端末装置２は、通信回線８に接続してサーバ装置にアクセスし、Ｗｅｂサイトの閲覧やＷｅｂサイトとの情報の送受信が可能な情報端末装置である。例えば、パソコンやＰＤＡ、多機能形態電話機、家庭用ゲーム装置などの装置と、公知のインターネット関連ソフトや関連技術等によって実現される。利用者（消費者）は利用者宅１で端末装置２を介して製作支援のサービスを受ける。
【００３０】
部品販売サーバ４は、部品販売と配達に係る注文を、通信回線８に接続して電子商取引によって実現させるための公知のサーバ装置である。注文を受けた部品は部品販売システム３によって調達・加工され、例えば、宅配等によって利用者宅１に届けられる（図１ではトラック９で表示）。部品販売システム３は、例えば、部品メーカ、問屋、ホームセンター、及びこれらと業務提携した宅配業者などの単独または組み合わせによって実現される。
【００３１】
製作支援サーバ６は、通信回線８に接続して物品支援サービスを提供するＷｅｂサイトを提供するとともに、部品販売サーバ４と接続して電子商取引によって部品の発注が可能なサーバ装置である。Ｗｅｂサイトを構成する情報や、製作支援に係る各種のプログラムやデータ等は、製作支援サーバ６に接続可能な各種データベース７ａ〜７ｎに記憶され、管理されている。部品販売システム３と、コンテンツ配信業者５は、同一であっても良いし、業務提携された別個のものであっても良い。
【００３２】
尚、ここで言う通信回線８とは、データ授受が可能な通信路を意味する。即ち、通信回線とは、直接接続のための専用線（専用ケーブル）やイーサネット（Ｒ）等によるＬＡＮの他、電話通信網やケーブル網、インターネット等の通信網を含む意味であり、また通信方法については有線／無線を問わない意味である。
【００３３】
［機能ブロックの説明］
図２は、製作支援サーバ６における機能ブロックの構成の一例を示す図である。同図に示すように、製作支援サーバ６には、ＣＰＵ（Ｃｅｎｔｒａｌ　Ｐｒｏｃｅｓｓｉｎｇ　Ｕｎｉｔ）１０と、操作入力部２０と、表示部３０と、ＲＡＭ（Ｒａｎｄｏｍ　Ａｃｃｅｓｓ　Ｍｅｍｏｒｙ）４０と、ＲＯＭ（Ｒｅａｄ　Ｏｎｌｙ　Ｍｅｍｏｒｙ）５０と、通信制御部６０と、記憶部７０と、が備えられ、各要素はデータバス８０によって互いにデータ送受信可能に接続されている。
【００３４】
ＣＰＵ１０は、製作支援サーバ６の制御を統一的に司るものである。ＣＰＵ１０は、ＲＡＭ４０やＲＯＭ５０及び記憶部７０内に記憶されている各種プログラムやデータに基づいて演算処理し、各構成要素の制御及びＷｅｂサイトの管理や製作支援サービスの提供に必要な種々の機能を実現する。
【００３５】
ＣＰＵ１０で実現される機能部としては、例えば、Ｗｅｂサイトを管理運営する処理をするサイト管理部１１と、ユーザ登録処理やユーザ登録情報の管理をするユーザ管理部１２と、家具の画像の生成や合成等をする画像処理部１３と、製作費用の見積計算部１４と、設計時の仕様変更について可否判定をする仕様変更判定部１５と、部品販売サーバ４と接続して部品の発注をする発注管理部１６と、利用者による特注品の仕様情報を管理する製作支援情報管理部１７と、利用者からのレンタルの申し込みを受け付け工具等のレンタルに係る管理をするレンタル管理部１８と、が有る。
【００３６】
操作入力部２０は、各種の操作や入力をするものであって、例えば、キーボードやマウスなどである。表示部３０は、各種の情報を表示出力するものであって、例えば、ＣＲＴ（Ｃａｔｈｏｄｅ　Ｒａｙ　Ｔｕｂｅ）、ＬＣＤ（Ｌｉｑｕｉｄ　Ｃｒｙｓｔａｌ　Ｄｉｓｐｌａｙ）やＥＬＤ（Ｅｌｅｃｔｒｏｎｉｃ　Ｌｕｍｉｎｅｓｃｅｎｔ　Ｍｏｎｉｔｏｒ）などの表示装置によって実現される。コンテンツ配信業者５は、操作入力部２０及び表示部３０を用いて、製作支援サーバ６の運営管理に必要な操作や情報管理をする。
【００３７】
ＲＡＭ４０は、ＣＰＵ１０の作業領域としてプログラムやデータを一時的に記憶する手段である。ＲＯＭ５０は、製作支援サーバ６の制御や演算処理及び周辺機器とのデータの送受に必要なプログラムやデータを記憶する手段であって、例えば、製作支援サーバ６の基本オペレーションを実現する為のシステムプログラム（ＯＳ）等はここに記憶されている。
【００３８】
通信制御部６０は、通信回線８に接続して他の装置（例えば、図１の端末装置２、部品販売サーバ４）と通信を確立し制御するものである。例えば、モデムやＤＳＵ（Ｄｉｇｉｔａｌ　Ｓｉｇｎａｌ　Ｕｎｉｔ）やＴＡ（Ｔｅｒｍｉｎａｌ　Ａｄａｐｔｅｒ）等の通信機器、所定の制御プログラム、接続端子等によって実現される。詳細な機能や仕様に関しては、接続する通信回線８の規格に対応するものとする。
【００３９】
記憶部７０は、各種のプログラムやデータ等を記憶するものであって、例えば、ＩＣメモリカード、ＭＯ、ＤＶＤ−ＲＡＭ、ＦＤ（Ｒ）、ハードディスク、データベースなどによって実現される。
【００４０】
記憶部７０には、プログラムとしては、サイト管理部１１を機能させるためのサイト管理プログラム７１１と、ユーザ管理部１２を機能させるためのユーザ管理プログラム７１２と、画像処理部１３を機能させる画像処理プログラム７１３と、見積計算部１４を機能させる見積計算プログラム７１４と、仕様変更判定部１５を機能させる仕様変更判定プログラム７１５と、発注管理部１６を機能させる発注管理プログラム７１６と、製作支援情報管理部１７を機能させる製作支援情報管理プログラム７１７と、レンタル管理部１８を機能させるレンタル管理プログラム７１８と、が記憶されている。
【００４１】
より具体的には、画像処理プログラム７１３は、例えば、元画像の縦横それぞれの拡大／縮小処理、元画像の色情報の変更、元画像への所定の画像の合成、３ＤＣＧによる画像の生成などの機能を実現させる。
【００４２】
仕様変更判定プログラム７１５は、設計時における仕様変更の可否判定処理の機能を実現させる。該可否判定処理とは、例えば、製作不可能な板厚の設定、材料にそぐわない塗装の設定、強度が不足に至る板厚の設定や金具の設定、取付け強度不足につながる金具取付けビスの長さの設定、などを判定し利用者に注意を促す機能を実現する。該可否判定処理は、例えば、所定の判定条件を規定するマップ情報を別途記憶部７０に格納し、このマップ情報を参照しながら条件判定の繰り返しによって実現することができる。尚、詳細な判定の条件は、製作支援する物品の種類に応じて適宜設定される。
【００４３】
また記憶部７０には、データとしては、ユーザ管理情報７２０と、モデル管理情報７３０と、部品管理情報７４０と、工具管理情報７５０と、組立支援情報７６０と、が記憶されている。また、図示されていないが、Ｗｅｂサイトを構成するサイト情報が記憶されている。また、画像処理部１３が３ＤＣＧを利用する場合には、モデリングデータやテクスチャなどの情報も記憶される。
【００４４】
ユーザ管理情報７２０は、ユーザ登録情報７２２と、利用者が設計した特注品の仕様情報等を記憶する製作支援情報７２４と、を含む。
【００４５】
ユーザ登録情報７２２には、例えば図３（ａ）に示すように、ユーザＩＤ（ユーザ識別情報）、パスワード、利用者の氏名、住所、電話番号、電子メールのアドレス、支払い方法の設定（例えば、クレジットカード使用、現金振込、代引きなど）、当該ユーザ登録された利用者が作成した製作支援情報７２４の一覧情報、などの各種情報が含まれる。
【００４６】
製作支援情報７２４には、例えば図３（ｂ）に示すように、製作支援情報ＩＤ（特注品の識別番号情報）、完成時に予想される特注品イメージ画像、見積や重量外観寸法などの諸元情報、レンタルや部品発注の伝票番号、部品の仕様を格納する使用部品情報７２４ａ、などが含まれる。製作支援情報７２４は、製作する一つの物品にそれぞれ設定される。
【００４７】
モデル管理情報７３０は、特注品のベースとなるモデルに関する情報を格納する。モデル管理情報７３０には、インデックス情報７３１と、モデル情報７３２とが含まれる。
【００４８】
インデックス情報７３１には、例えば図４に示すように、特注品のベースとなる家具モデルを選択する際に使われるサムネール画像Ｐが、階層構造に格納されている。一つのサムネール画像Ｐは一つの家具モデルに該当し、それぞれにモデル情報７３２が対応付けられている。
【００４９】
モデル情報７３２には、当該モデルの標準仕様に関する情報が格納されている。例えば、図５に示すように、モデルＩＤ（モデル識別情報）、モデルイメージ画像、名称、標準寸法、標準見積額、使用工具一覧、コメント、該モデルを構成する部品の仕様を格納する標準部品情報７３２ａ、組立方法を記した組立手順ファイルのＩＤ、などが含まれる。
【００５０】
部品管理情報７４０は、使用部品情報７２４ａ（図３）及び標準部品情報７３２ａ（図６）で設定可能な部品に関する情報を管理する。
例えば図６に示すように、部品の規格ごとに、名称、材質、寸法、重量、価格、在庫数などの情報を含む。画像処理部１３が、モデルイメージ画像を作成する際に３ＤＣＧ等を利用する構成の場合は、モデリング情報やテクスチャなどの情報も部品管理情報７４０に含まれる。
【００５１】
工具管理情報７５０は、工具に関する情報を格納している。例えば、工具毎の画像、使用方法、価格、入手先情報、レンタル価格、レンタル用工具の在庫数などの情報を工具情報７５１として格納している。また、レンタル管理部１８が使用する管理情報もレンタル管理情報７５２として、ここに含まれるとしても良い。
【００５２】
組立支援情報７６０は、特注品の組立に参考となる情報が格納されている。例えば、材料の特性等に関する材料情報７６１や、組立手順情報７６２、工具操作方法情報７６３、などを含む。
【００５３】
尚、ユーザ管理情報７２０と、モデル管理情報７３０と、部品管理情報７４０と、工具管理情報７５０と、組立支援情報７６０とは、それぞれ独立または組み合わされてデータベース（図１のデータベース７ａ〜７ｎ）を構築する。
また、モデルイメージ画像Ｑおよび特注品イメージ画像Ｒの数や構図は適宜設定して構わない。
【００５４】
［処理の説明］
次に、図７〜図１８を参照して、本実施の形態における処理の流れについて説明する。図７〜図９は、処理の流れを説明するためのフローチャートであり、図１０〜図１８は端末装置２における画面表示の一例を示す画面図である。
【００５５】
［１；Ｗｅｂサイトへのアクセス］
先ず図７に示すように、端末装置２から製作支援サービスのＷｅｂサイトにアクセスする（ステップＳ１０２）。製作支援サーバ６のサイト管理部１１は、Ｗｅｂサイトのトップページの情報を配信し、端末装置２ではＷｅｂブラウズが可能となる。
【００５６】
端末装置２では、例えば図１０に示すように画面１００が表示される。画面１００には、メニュー表示部１１０と、アクセス条件表示部１２０と、サービス表示部１３０とが含まれる。
メニュー表示部１１０には、製作支援サービスの項目を順にボタン１１１〜１１７が表示され、何れかのボタンを選択すると該当するページに移動する。アクセス条件表示部１２０には、ユーザＩＤ入力欄１２２と、製作支援情報ＩＤ入力欄１２４とが含まれ、現在誰がどの製作をしているかを表示している。
【００５７】
［２；ユーザ登録処理］
Ｗｅｂブラウズが可能となったならば、まずユーザ登録またはユーザ認証を受ける（ステップＳ１０４）。新規ユーザ登録する場合には、ユーザＩＤ入力欄１２２の新規ボタン１２３をクリックすると、製作支援サーバ６のユーザ管理部１２がユーザ登録情報７２２を新たに作成してユーザＩＤを発行する。既に、ユーザ登録されている場合には、ユーザＩＤをユーザＩＤ入力欄１２２に入力して認証を受ける。
【００５８】
［３；製作支援情報の用意］
ユーザ登録またはユーザ認証がされたならば、次に製作支援情報７２４を用意する。新たに製作を始める場合は（ステップＳ１０６のＮＯ）、例えば、新規ボタン１２５（図１０参照）をクリックすると新規作成要求が送信され、製作支援サーバ６の製作支援情報管理部１７が、新たに製作支援情報７２４を作成する（ステップＳ１０８）。
仕掛かりの製作が有る場合は（ステップＳ１０６のＹＥＳ）、端末装置２で既に発行されている製作支援情報ＩＤ７２４ｂを製作支援情報ＩＤ入力欄１２４に入力し送信すると（ステップＳ１１０）、製作支援情報管理部１７がユーザ管理情報７２０より該当するＩＤの製作支援情報７２４を検索し読み出す（ステップＳ１１２）。
【００５９】
製作支援情報７２４が用意されたならば、次に、端末装置２ではメニュー欄を選択し製作支援サービスを受けることが可能となる（ステップＳ１１４）。尚、以下では、新たに製作を始める場合の手順にしたがって説明するが、仕掛かりの製作がある場合は、適宜ボタン１１２〜１１７を選択し所望するサービスを受けることができるのは勿論である（ステップＳ１８２、Ｓ１８４、Ｓ１８６）。
【００６０】
［４；イメージの決定処理］
新たに製作を始める場合には、先ず製作するもののイメージを決定する。これはデザイン工程のサポートに当る。
端末装置２で『イメージの決定』のボタン１１２を選択すると（ステップＳ１１６のＹＥＳ）、製作支援サーバ６から該当サービスのページのサイト情報が配信される（ステップＳ１１８）。
【００６１】
端末装置２では、例えば図１１に示すようにサービス表示部１３０が表示される。利用者は製作したい家具のベースとなるモデルのサムネール画像Ｐを選択する（ステップＳ１２０）。
【００６２】
具体的な手順としては、例えば、目的選択欄１３２ａで製作したい家具の大まかな使用目的別分類を選択し、次に、構造選択欄１３２ｂで製作したい家具の構造（見かけのタイプ分類に相当）を選択し、次に、材質選択欄１３２ｂで素材を選ぶ。製作支援サーバ６のサイト管理部１１は、選択の結果に基づいてインデックス情報７３１を参照して、該当する分類に属するモデルのサムネール画像Ｐを端末装置２に送信する。端末装置２では、サムネール画像Ｐがサムネール表示部１３２ｄに表示される。
【００６３】
次に、端末装置２で何れかのサムネール画像Ｐが選択すると、該サムネール画像Ｐの識別情報が製作支援サーバ６に送信される。製作支援サーバ６のサイト管理部１１は、該サムネール画像Ｐに対応付けられているモデル情報７３２を送信する。すると、詳細表示部１３２ｅにより詳細なモデルイメージ画像Ｑと該モデルに関する情報が表示される。該モデルでよければ、決定ボタン１３２ｆをクリックしてベースとなるモデルの選択を確定する。
【００６４】
ベースとなるモデルが選択されたならば、製作支援情報管理部１７は、該モデルのモデル情報７３２の仕様を製作支援情報７２４に写す。例えば、標準部品情報７３２ａを使用部品情報７２４ａに写す（ステップＳ１２２）。
【００６５】
［５；外形寸法の決定処理］
次に、製作支援サーバ６のサイト管理部１１は、外形寸法の決定ページの情報を送信する（ステップＳ１２４）。
【００６６】
端末装置２では、例えば図１２に示すように、画面１００には、モデルイメージ画像Ｑ１〜Ｑ２と、主要な外形寸法部分に寸法入力欄１３３ａが表示される。利用者は所望する寸法を入力・変更し決定ボタン１３３ｂをクリックして寸法の変更情報を送信する（ステップＳ１２６）。
【００６７】
製作支援サーバ６が寸法の変更情報受信したならば、画像処理部１３が変更された寸法の特注品イメージ画像Ｒを作成し、見積計算部１４が見積額を計算する（ステップＳ１２８）。
【００６８】
具体的には、例えば、画像処理部１３は、ベースとなったモデルのモデル情報７２３を参照してモデルイメージ画像Ｑを縦横方向に拡大／縮小処理する。また、見積計算部１４は、変更された寸法に該当する部品を部品管理情報７４０より検索し部品価格を積算して見積を出す。
【００６９】
特注品イメージ画像Ｒと見積額は端末装置２に送信され、例えば、図１３に示すように表示される。利用者は、端末装置２で特注品イメージ画像Ｒ（Ｒ１、Ｒ２）と見積額１３４ａを見て、問題無ければ決定ボタン１３４ｂをクリックして確定する（ステップＳ１３０のＹＥＳ）。仕様を変更したい場合には（ステップＳ１３０のＮＯ）、戻るボタン１３４ｃをクリックして再度外形寸法を入力しなおす（ステップＳ１２６）。
【００７０】
外形寸法が決定された場合は（ステップＳ１３０のＹＥＳ）、製作支援サーバ６の製作支援情報管理部１７が、製作支援情報７２４を更新する（ステップＳ１３２）。外形寸法が決定されたならば、次に細部の詳細な仕様を決定する。
【００７１】
［６；詳細仕様の決定処理］
図８に示すように、端末装置２で『細部の決定』のボタン１１３を選択すると（ステップＳ１８２のＹＥＳ）、製作支援サーバ６から該当サービスのページのサイト情報が配信される（ステップＳ１３４）。
【００７２】
端末装置２では、例えば図１４に示すように画面１００が表示される。利用者は、該画面で変更したい部品を選択し、詳細な仕様を決定する（ステップＳ１３６）。
【００７３】
具体的には、例えば、画面１００には特注品イメージ画像Ｒと部品一覧１３５ａが表示される。部品一覧１３５ａより仕様を決めたい部品を選択すると、該当する部品番号が製作支援サーバ６に送られる。製作支援サーバ６の製作支援情報管理部１７は、製作支援情報７２４の使用部品情報７２４ａを参照して、該当する部品の仕様情報を返信する。端末装置２では、選択した部品の現在の仕様が仕様設定部１３５ｂに表示される。
【００７４】
仕様設定部１３５ｂには、仕様項目毎に入力欄１３５ｃまたはプルダウン式表示部１３５ｄを備え、仕様を入力・変更することができる。仕様項目によっては利用者が加工するか否かを決定する欄１３５ｅが備えられる。
【００７５】
仕様を入力・変更した後に設定反映ボタン１３５ｆをクリックすると、変更された仕様情報が製作支援サーバ６に送信される。製作支援サーバ６では、変更された仕様情報に基づいて仕様変更判定部１５が仕様変更の可否を判定する（ステップＳ１３８）。
【００７６】
変更が不可能である場合は（ステップＳ１４０のＮＯ）、端末装置２で例えば図１５に示すように警告表示Ｍを表示させ、仕様の再設定を促す（ステップＳ１４２）。変更が可能である場合は（ステップＳ１４０のＹＥＳ）、画像処理部１３が変更された仕様情報に基づいて、特注品イメージ画像Ｒを作成し、見積計算部１４が見積を出す（ステップＳ１４４）。
【００７７】
特注品イメージ画像Ｒと見積額は端末装置２に送信され、画面１００で反映される。利用者は、仕様変更が反映された特注品イメージ画像Ｒと見積額１３５ｇを見て、問題無ければ決定ボタン１３５ｈをクリックして確定する（ステップＳ１４６のＹＥＳ）。
【００７８】
仕様が決定されたならば、製作支援サーバ６の製作支援情報管理部１７が、製作支援情報７２４を更新する（ステップＳ１４８）。以上で、特注品に関する仕様の設定が終了する。
【００７９】
［７；組立支援処理］
図９に示すように、端末装置２で『組立支援』のボタン１１４を選択すると（ステップＳ１８４のＹＥＳ）、製作支援サーバ６から該当サービスのページのサイト情報が配信される（ステップＳ１５０）。
【００８０】
端末装置２では、例えば図１６に示すように、選択ボタン１３６ａ〜ｄの有る画面１００が表示される。端末装置２で入手したい情報の項目のボタンを選択すると、要求信号が製作支援サーバ６に送信される（ステップＳ１５２）。
【００８１】
製作支援サーバ６のサイト管理部１１は、組立支援情報７６０から要求された項目に該当する情報を検索し（ステップＳ１５４）、端末装置２に返信する（ステップＳ１５６）。
【００８２】
具体的には、例えば、組立手順１３６ｂの項目が選択されたならば、サイト管理部１１は、製作支援情報７２４の組立手順ファイルＩＤ７３２ｂ（図５）を元に、組立支援情報７６０から適当な組立手順情報７６２を検索し、端末装置２に送信する。また、使用工具一覧１３６ｃが選択されたならば、サイト管理部１１は、製作支援情報７２４から使用部品情報７２４ａを参照して該当する工具管理情報７５０から適当な工具情報７５１を検索し端末装置２に送信する。
【００８３】
検索された情報が返信されると、端末装置２で表示や印刷等が可能となる。使用工具一覧１３６ｃが選択された場合、端末装置２では、例えば図１７に示すように画面１００が表示される。画面１００には、レンタル申し込み欄１３７ａが設けられており、工具のレンタルが可能となっている。
【００８４】
端末装置２でレンタル申し込み欄１３７ａを入力し、申込ボタン１３７ｂをクリックすると申し込み要求が製作支援サーバ６に送信される（ステップＳ１５８のＹＥＳ）。
【００８５】
レンタルの申し込みを受信すると、製作支援サーバ６のレンタル管理部１８は、申し込み内容をレンタル管理情報７５２に設定し、伝票番号を発行する（ステップＳ１６０）。レンタル申し込みの情報（例えば、品名、期間、数、伝票番号など）は、製作支援情報７２４にも格納される（ステップＳ１６２）。
【００８６】
［８；発注処理］
端末装置２で『発注』のボタン１１５を選択すると（ステップＳ１８６のＹＥＳ）、製作支援サーバ６から該当サービスのページのサイト情報が配信される（ステップＳ１６６）。また、製作支援サーバ６の発注管理部１６は、ユーザ登録情報７２２と製作支援情報７２４とを参照して、発注内容を端末装置２に送信する。
【００８７】
端末装置２では、例えば図１８に示すように画面１００が表示される。画面１００で、発注する製作支援情報の識別番号、部品の送り先、支払い方法などが確認できる（ステップＳ１６８）。
【００８８】
ここで、変更事項がある場合は（ステップＳ１６８のＮＧ）、端末装置２で変更を入力して送信する（ステップＳ１７０）。製作支援サーバ６の発注管理部１６は、変更要求に従って発注内容を変更し（ステップＳ１７２）、確認を取る（ステップＳ１７０）。発注内容に変更が無い場合には（ステップＳ１６８のＯＫ）、発注確定信号が送信される（ステップＳ１７４）。
【００８９】
発注が確定したならば、発注管理部１６は部品販売サーバ４と接続する（ステップＳ１７６）。そして、所定の処理を経て発注伝票番号を取得し（ステップＳ１７８）、製作支援情報７２４に記憶する（ステップＳ１８０）。以上で、部品の発注が終了し、製作支援情報７２４に従って部品が利用者宅１に配送される。
【００９０】
以上の処理によって、ＤＩＹのデザイン、設計、部品調達（発注）、組立、の工程に関して一貫してサポートすることが可能となり、利用者により簡単でスムーズな製作支援を提供することができる。
【００９１】
〔第２の実施の形態〕
次に、図１９〜図２４を参照して、本発明を適用した第２の実施の形態について説明する。本実施の形態では、デザインの細部を利用者が選択可能として例を示す。尚、第１の実施の形態と同様の構成要素については同じ符号を付け説明は省略するものとする。
【００９２】
図１９は、本実施の形態における、機能ブロックの構成の一例を示す図である。同図に示すように、本実施の形態では特に、記憶部７０に手描線取得Ｊａｖａ（登録商標）アプレット７７１と、デザイン情報７４２と、ライン情報７４３と、を含む。
【００９３】
手描線取得Ｊａｖａ（登録商標）アプレット７７１は、端末装置２で実行されることで、手描線を入力し該手描線の情報を製作支援サーバ６に送信させる機能を実現する。
【００９４】
デザイン情報７４２は、各モデルの細部におけるデザイン仕様であって例えば、本棚脚部の曲線切りぬき、彫り込み、などの仕様である。デザイン情報７４２は、部品管理情報７４０に格納され部品情報７４１で扱われる仕様項目の一つとなる。
【００９５】
ライン情報７４３は、曲線や直線などを表す関数情報であって、デザイン情報７４４における細部デザインに適用される関数である。例えば、波型（サイン波形）、楕円、放物線、星型、英文字型などの形状やラインを表す。
【００９６】
図２０は、本実施の形態における詳細仕様の決定に関する処理の流れを説明するためのフローチャートである。同図に示すように、外形寸法が決定されたならば、次に製作支援サーバ６のサイト管理部１１は、詳細仕様決定のページの情報を送信する（ステップＳ１３４）。
【００９７】
端末装置２では、例えば図２１に示すように、画面１００が表示される。同図では、仕様項目の一つとして、デザイン項目１３８が設けられる。更に、デザイン項目１３８には、予め設定されているデザインの名から選択するデザイン選択欄１３８ａと、手描入力によってデザインを指定する手描入力指定１３８ｂとが設けられている。デザイン項目１３８は、例えばプルダウン式でデザインのパターンを選択する構成となっている。
【００９８】
デザイン項目１３８でデザインが変更された場合は（ステップＳ２０２）、　設定反映ボタン１３５ｆをクリックすると、選択されたデザインの識別番号が製作支援サーバ６に送信される。
製作支援サーバ６は、画像処理部１３が部品管理情報７４０より該当するデザイン情報を検索し（ステップＳ２０４）、特注品イメージ画像Ｒを生成して返信する（ステップＳ１４４）。端末装置２では、例えば図２２に示すようにデザインが反映された特注品イメージ画像Ｒが表示される。
【００９９】
手描入力指定１３８ｂが選択された場合は（ステップＳ２０６）、製作支援サーバ６から手描線取得Ｊａｖａ（登録商標）アプレット７７１が送信される（ステップＳ２０８）。
【０１００】
端末装置２が該アプレットを実行すると、例えば図２３に示すように手描入力用のウィンドウ１３９が設けられる。ウィンドウ１３９では、マウス操作に従って手描線Ｌが入力される。更に、該手描線に従って対象とする部品をどのように加工するかを選択欄１３９ａから選択する。手描線の情報は製作支援サーバ６に送信される（ステップＳ２１０）。
【０１０１】
手描線の情報を受信した製作支援サーバ６は、部品管理情報７４０から手描線に近似するライン情報７４３を検索する。或いは、近似曲線データを作成する（ステップＳ２１２）。
【０１０２】
製作支援サーバ６の仕様変更判定部１５が、選択されたライン情報７４３若しくは近似曲線データに基づいて仕様変更の可否を判定する（ステップＳ１３８）。
例えば、手描線が細かすぎて製作できない場合や、手描線部分を切り抜いた場合の残りの寸法から強度不足が心配される場合には変更不可とする。
【０１０３】
変更が不可である場合は（ステップＳ１４０のＮＯ）、端末装置２で警告表示させ、仕様変更の再設定を促す（ステップＳ１４２）。変更が可能である場合は（ステップＳ１４０のＹＥＳ）、画像処理部１３が変更された仕様情報に基づいて、特注品イメージ画像Ｒを作成し、サイト管理部１１が端末装置２に送信する（ステップＳ１４４）。端末装置２では、例えば、図２４に示すように、手描曲線が反映された特注品イメージ画像Ｒが表示される。
【０１０４】
以上の構成と処理によって、本実施の形態では、よりカスタマイズされたＤＩＹの製作支援を提供することができる。
【０１０５】
〔第３の実施の形態〕
次に、図２５〜図２６を参照して、本発明を適用した第３の実施の形態について説明する。本実施の形態では、更に製作支援の程度を利用者が設定可能な例について説明する。尚、第１及び第２の実施の形態と同様の構成要素については同じ符号を付け説明は省略するものとする。
【０１０６】
製作支援の程度とは、ＤＩＹの工程においてどの程度までサポートするサービスを提供するかを意味する。日曜大工の熟練者は設計・製図や材料から部品の切り出しもするが、初心者は組立が精一杯である場合がある。即ち、利用者の技術レベルや熟練度、さらには工具の所有程度等によって、必ずしも一律なサービスが求められるわけではない。本実施の形態では、製作支援サービスから受けられる製作支援の程度を利用者が支援レベルとして設定する。
【０１０７】
支援レベルの設定を有効にするために、本実施形態では、製作支援情報７２４が支援レベルの情報を格納する。また、標準部品情報７３２ａは、部品毎に支援レベルに対応して仕様変更及び発注の対象とするか否かを定める設定情報を有する。従って、見積の計算時に該設定情報を参照することによって、利用者が希望に応じた見積が可能となる。
【０１０８】
図２５は、本実施の形態における処理の流れを説明するためのフローチャートである。同図に示すように、支援レベルは製作支援情報７２４が用意されたならば、メニュー表示部１１０より『支援レベルの設定』を選択することで設定可能となる。
【０１０９】
メニュー表示部１１０より『支援レベルの設定』のボタン１１８が選択されたならば（ステップＳ３０２のＹＥＳ）。製作支援サーバ６は、支援レベル設定のページの情報を送信する（ステップＳ３０４）。
【０１１０】
端末装置２では、例えば図２６に示すような画面１００が表示される。画面１００には、第１及び第２の実施の形態で示したサービスを受けるか否かを選択する設計支援選択欄１４０ａと、最終的な納品形態を選択する納品レベル選択欄１４０ｂとがある。利用者は画面１００の表示に従って希望する項目を選択し、必要な項目を設定する（例えば、設計支援を受けない場合に送信する図面データの選択欄１４０ｃの入力）。そして送信ボタン１４０ｄをクリックすると、選択情報が製作支援サーバ６に送信される。
【０１１１】
設計支援をしない場合は（ステップＳ３０６のＮＯ）、選択欄１４０ｃで指定された設計図面データが製作支援サーバ６に送信される（ステップＳ３０８）。製作支援サーバ６の製作支援情報管理部１７は、送信された設計図面を製作支援情報７２４に添付または格納する（ステップＳ３１０）。尚、設計図面データの送信方法は、電子メールの利用や直接送信など適宜設定して構わない。
設計支援をする場合は（ステップＳ３０６のＹＥＳ）、製作支援サーバ６の製作支援情報管理部１７は、支援レベルの情報を製作支援情報７２４に格納する（ステップＳ３１２）。
【０１１２】
以上の処理によって、利用者が希望する支援レベルを何時でも参照可能となるので、利用者の希望に則した部品の調達や加工の設定、見積等が可能となる。
尚、支援レベルの設定は、図２６に示した例に限らず、例えば、材料の切り出し、穴加工、表面研磨、塗装など作業の内容ごとに設定可能な構成としても良い。
【０１１３】
以上、本発明を適用した第１〜第３の実施の形態について説明したが、本発明の適用がこれらに限定さえるものではなく、発明の趣旨を逸脱しない限りにおいて適宜変更や追加をしても構わない。
【０１１４】
例えば、木製家具の製作を例としたが、その他、例えば、洋服、革細工、陶芸、装飾品などのＤＩＹの対象となる物品についても同様に適用できる。
また、表示画面における画面構成や選択内容等も、適宜設定してかまわない。
【０１１５】
【発明の効果】
本発明によれば、利用者はベースとなるモデルを選択し、選択したモデルの仕様を元に好みの仕様に変更させることで、製作したいと思う物品の設計を進めることができる。また、仕様変更の過程において、完成予想イメージや見積額を確認しながら作業を進めることができる。従って、これから作ろうとする物品のデザインの方向性をより簡単に、また決定物品の構造的欠陥を生じる心配が少ないより精度の高い設計を簡単且つスムーズに実施することができる。
【図面の簡単な説明】
【図１】第１の実施の形態における構成の一例を示す図。
【図２】製作支援サーバにおける機能ブロックの構成の一例を示す図。
【図３】（ａ）ユーザ登録情報、（ｂ）製作支援情報のデータ構成の一例を示す図。
【図４】インデックス情報のデータ構成の概念を説明するための図。
【図５】モデル情報のデータ構成の一例を示す図。
【図６】部品管理情報のデータ構成の一例を示す図。
【図７】第１の実施の形態における、処理の流れを説明するためのフローチャート。
【図８】図７に続くフローチャート。
【図９】図８に続くフローチャート。
【図１０】Ｗｅｂサイトのトップページにおける画面表示の一例を示す画面図。
【図１１】イメージ決定のページにおける画面表示の一例を示す画面図。
【図１２】外形寸法の決定ページにおける画面表示の一例を示す画面図。
【図１３】外形寸法の確認画面の一例を示す画面図。
【図１４】詳細仕様決定ページにおける画面表示の一例を示す画面図。
【図１５】仕様変更にともなう警告表示画面の一例を示す画面図。
【図１６】組立支援ページにおける画面表示の一例を示す画面図。
【図１７】工具一覧表示画面の一例を示す画面図。
【図１８】発注ページにおける画面表示の一例を示す画面図。
【図１９】第２の実施の形態における機能ブロックの構成の一例を示すブロック図。
【図２０】第２の実施の形態における詳細仕様決定の処理の流れを説明するためのフローチャート。
【図２１】第２の実施の形態における詳細仕様決定ページの画面表示の一例を示す画面図。
【図２２】デザイン情報が反映された詳細仕様決定ページの画面表示の一例を示す画面図。
【図２３】手描入力用のウィンドウが表示された画面の一例を示す画面図。
【図２４】手描入力線が反省された詳細仕様決定ページの画面表示の一例を示す画面図。
【図２５】第３の実施の形態における設計レベル設定の処理の流れを説明するためのフローチャート。
【図２６】設計レベル設定ページにおける画面表示の一例を示す画面図。
【符号の説明】
２　端末装置
４　部品販売サーバ
６　製作支援サーバ
８　通信回線
１０　ＣＰＵ
１１　サイト管理部
１２　ユーザ管理部
１３　画像処理部
１４　見積計算部
１５　仕様変更判定部
１６　発注管理部
１７　製作支援情報管理部
１８　レンタル管理部
７０　記憶部
７１１　サイト管理プログラム
７１２　ユーザ管理プログラム
７１３　画像処理プログラム
７１４　見積計算プログラム
７１５　仕様変更判定プログラム
７１６　発注管理プログラム
７１７　製作支援情報管理プログラム
７１８　レンタル管理プログラム
７２０　ユーザ管理情報
７２２　ユーザ登録情報
７２４　製作支援情報
７３０　モデル管理情報
７３１　インデックス情報
７３２　モデル情報
７４０　部品管理情報
７４１　部品情報
７５０　工具管理情報
７５１　工具情報
７６０　組立支援情報
７６１　材料情報
７６２　組立手順情報
７６３　工具操作方法情報
７７１　手描線取得Ｊａｖａアプレット
１００　画面
１１０　メニュー表示部
１２０　アクセス条件表示部
１３０　サービス表示部
Ｌ　手描線
Ｐ　サムネール画像
Ｑ　モデルイメージ画像
Ｒ　特注品イメージ画像
【図１】
2004062506.tif 000003
【図２】
2004062506.tif 000004
【図３】
2004062506.tif 000005
【図４】
2004062506.tif 000006
【図５】
2004062506.tif 000007
【図６】
2004062506.tif 000008
【図７】
2004062506.tif 000009
【図８】
2004062506.tif 000010
【図９】
2004062506.tif 000011
【図１０】
2004062506.tif 000012
【図１１】
2004062506.tif 000013
【図１２】
2004062506.tif 000014
【図１３】
2004062506.tif 000015
【図１４】
2004062506.tif 000016
【図１５】
2004062506.tif 000017
【図１６】
2004062506.tif 000018
【図１７】
2004062506.tif 000019
【図１８】
2004062506.tif 000020
【図１９】
2004062506.tif 000021
【図２０】
2004062506.tif 000022
【図２１】
2004062506.tif 000023
【図２２】
2004062506.tif 000024
【図２３】
2004062506.tif 000025
【図２４】
2004062506.tif 000026
【図２５】
2004062506.tif 000027
【図２６】
2004062506.tif 000028